(57)【要約】      （修正有）【課題】効率的に生産することができる信号絶縁変圧器の構造を提供する。【解決手段】磁性部品２を絶縁ケース４内に入れ、伝導部品３４は絶縁ケース４にある一対の外壁に固定する。該伝導部品はプレート状の本体から成り、本体の一端は二股に分かれて第一接触部３１及び第二接触部３２を形成する。該第二接触部は更に第一接触部と離れた場所で折れ曲がり、第一接触部との間に、磁性部品のケーブル２０を挿入できる隙間を構成する。磁性部品のケーブルは絶縁ケースから延び出し、伝導部品の二股に分かれた部分に挟まれて固定する。このように、該ケーブルは人の手を借りて巻き付ける必要がなく、伝導部品の第一及び第二接触部によって、弾性的に挟まれて定位することができる。【選択図】図５
0003169298.tif 000002
【実用新案登録請求の範囲】
【請求項１】
磁性部品、伝導部品及び絶縁ケースを含み、
該絶縁ケースは一つの開口を具有し、少なくとも一つの該開口と互いに通じる内部スペースに磁性部品を入れ、
該磁性部品はケーブル及び伝導部品を具有し、信号の伝達を行い、及び、
該伝導部品の本体は絶縁ケース定位し、
該本体はプレートであり、絶縁ケースの開口に相隣する端は二股に分かれて第一接触部及び第二接触部を形成し、
該第二接触部は更に第一接触部と離れた場所で折れ曲がり、第一接触部との間に、磁性部品のケーブルを挿入できる隙間を構成し、及び、
本体の別端は一つの伝導部を具有し、外部の回路設備と接続することを特徴とする信号絶縁変圧器の構造。
【請求項２】
前記絶縁ケースは一対の外壁を具有し、伝導部品を定位し、
該外壁に複数の定位槽を形成し、それぞれの伝導部品が一つずつ挿入でき、相隣する定位槽の間に一つの間隔壁を具有し、間隔壁の片側局部は、定位槽に向けて一つのウォールを延伸し、伝導部品が外側に脱落するのを防止することを特徴とする請求項１記載の信号絶縁変圧器の構造。
【請求項３】
該伝導部品の本体は台形であり、定位槽の底部より挿入し、台形の広い一端がしっかりと定位槽で定位することを特徴とする請求項２記載の信号絶縁変圧器の構造。
【請求項４】
前記伝導部品の伝導部は絶縁ケースの底部に沿うように折り、抵触部を形成することを特徴とする請求項２或いは請求項３記載の信号絶縁変圧器の構造。
【考案の詳細な説明】
【技術分野】
【０００１】
本考案は変圧器の構造に関し、特にインターネット設備に応用する信号絶縁変圧器の構造に関する。
【背景技術】
【０００２】
信号絶縁変圧器は端末装置インターフェイス及びイーサネット(登録商標)トランシーバーチップ間の磁性部品であり、それの多くはＲＪ４５に設置するバス通信ポート及び、直接ボードに熔接する変圧器の二種類の規格を持つ。電磁カップリングにより、信号を他のインターネットコネクタに伝送し、同時にフィルタ及び、信号を強くする、異なるインターネット設備の電圧と電流などの機能を統合する。
【０００３】
従来技術のボードに熔接するセラミックカプセル化された信号絶縁変圧器を例に挙げる。図１に示すように、磁性部品１０を絶縁ケース１１で囲まれたスペース内に入れ、絶縁ケース１１にあるピン１２に磁性部品１０のケーブル１３を接続することにより、外部のボードと電気接続を行う。
【０００４】
図１にあるような従来技術の信号絶縁変圧器の構造にある磁性部品１０のケーブル１３は、ピン１２との接続は絶縁ケース１１の内部で行うため、絶縁ケース１１内に磁性部品１０を入れるスペースを犠牲する必要があり、磁性部品１０を予定する規格内に設置しにくくなる。また、磁性部品１０のケーブル１３とピン１２は熔接を用いて接続するため、熔接する際、先にケーブル１３をピン１２に巻き付ける必要がある。この作業は人の手を借りるしか方法がないため、製造スピードを速めることができないことを鑑みて、更なる改善が必要であった。
【先行技術文献】
【特許文献】
【０００５】
【特許文献１】特開２００８−１６０１５９号公報
【考案の概要】
【考案が解決しようとする課題】
【０００６】
前記従来技術の欠点を解決するため、本考案は製造を簡単にするとともに、生産速度を速め、従来技術に存在する問題と短所を解決する構造を提供することを主な課題とする。
【課題を解決するための手段】
【０００７】
上述の目的を解決するために、本考案は信号絶縁変圧器の構造を提供するものであり、それに含まれるのは磁性部品、伝導部品及び絶縁ケースである。
【０００８】
前記絶縁ケースは一つの開口を具有し、少なくとも一つの該開口と互いに通じる内部スペースに磁性部品を入れる。及び、一対の外壁に伝導部品を定位する。
【０００９】
前記磁性部品はケーブル及び伝導部品を具有し、信号の伝達を行う。ケーブルの外部に絶縁塗料を塗装し、相隣の回路と接触するときにショートするのを防ぐ。
【００１０】
該伝導部品の本体は絶縁ケースに定位する。該本体は台形プレートであり、絶縁ケースの開口に相隣する端は二股に分かれて第一接触部及び第二接触部を形成する。該第二接触部は更に第一接触部と離れた場所で折れ曲がり、第一接触部との間に、磁性部品のケーブルを挿入できる隙間を構成する。本体の別端は一つの伝導部を具有し、外部の回路設備と接続できる。
【００１１】
本考案及び従来技術の違う部分及び考案目的とは、
該磁性部品を絶縁ケースの開口より該内部スペースに入れ、ケーブルは開口より延び出し、伝導部品の二股端の隙間で挟んで固定する。該ケーブルは従来技術のように、人の手を借りてピンに巻きつけなくとも、伝導部品の第一及び第二接触部により、弾性的に挟まれて定位につく。特にケーブルを隙間に入れる過程で、第一接触部及び第二接触部との摩擦により、該表層にある絶縁塗料を削り落とし、直接伝導部品と電気接触を形成するため、信号の伝達に有利であり、組立スピードを速めることができる。
【００１２】
また、伝導部品を定位するため、絶縁ケースは一対の外壁に複数の定位槽を形成し、それぞれの伝導部品が一つずつ挿入できる。相隣する定位槽の間に一つの間隔壁を具有し、間隔壁の片側局部は、定位槽に向けて一つのウォールを延伸し、伝導部品が外側に脱落するのを防止する。該伝導部品の台形本体は定位槽の底部より挿入し、台形の広い一端がしっかりと定位槽で定位する。
【００１３】
最良実施例の伝導部品の伝導部は更に絶縁ケースの底部に沿うように折り、抵触部を形成する。該抵触部により、伝導部品を上に引抜くのを防止する。それにより、該伝導部品は完全に絶縁ケースの外壁に固定され、内部の磁性部品を入れるスペースを占用することがないため、内部スペースは最良の配置を企画することができる。
【考案の効果】
【００１４】
該磁性部品を内部スペースに入れ、ケーブルは伝導部品の二股端の隙間で挟んで固定することで、人の手を借りてピンに巻きつけなくとも、伝導部品の第一及び第二接触部により、弾性的に挟まれて定位につく。特に伝導部品の定位方法は、絶縁ケースの内部スペースを占領することがない。また、ケーブルを隙間に入れる過程で、第一接触部及び第二接触部との摩擦により、該表層にある絶縁塗料を削り落とし、直接伝導部品と電気接触を形成するため、信号の伝達に有利であり、組立スピードを速めることができる。
【図面の簡単な説明】
【００１５】
【図１】従来技術の信号絶縁変圧器の構造配置図である。
【図２】本考案の組立部品の第一分解略図である。
【図３】本考案の組立部品の第二分解略図である。
【図４】本考案の伝導部品の構造図である。
【図５】本考案の組立図、特に磁性部品のケーブルを伝導部品に定位する状態を示す。
【図６】本考案の伝導部品を絶縁ケースに定位する状態を示す。
【図７】本考案の伝導部品の第２実施例であり、外部ボードと表面実装技術(ＳＭＴ)を用いて接続する状態を示す。
【考案を実施するための形態】
【００１６】
図２及び図３に示すのは、本考案の信号絶縁変圧器である。それに含まれるのは磁性部品２、伝導部品３及び絶縁ケース４である。
【００１７】
前記絶縁ケース４は一つの開口４０を具有し、少なくとも一つの該開口４０と互いに通じる内部スペース４１に磁性部品２を入れる。及び、一対の外壁４２、４３に伝導部品３を定位する。
【００１８】
前記磁性部品２はケーブル２０及び伝導部品３を具有し、信号の伝達を行う。ケーブル２０の外部に絶縁塗料を塗装し、相隣の回路と接触するときにショートするのを防ぐ。
【実施例】
【００１９】
図４に示すように、前記伝導部品３の本体３０は絶縁ケース４に定位する。該本体３０は台形プレートであり、絶縁ケース４の開口４０に相隣する端は二股に分かれて第一接触部３１及び第二接触部３２を形成する。該第二接触部３２は更に第一接触部３１と離れた場所で折れ曲がり、第一接触部３１との間に、磁性部品２のケーブル２０を挿入できる隙間３３を構成する。本体３０の別端は一つの伝導部３４を具有し、外部の回路設備と接続できる。
【００２０】
図５に示すように、組み立てる際、磁性部品２を絶縁ケース４の開口４０より該内部スペース４１に入れ、ケーブル２０は開口４０より延び出し、伝導部品３の二股端の隙間３３で挟んで固定し、第一接触部３１及び第二接触部３２により、ケーブル２０は自然に定位につく。特にケーブル２０を隙間３３に入れる過程で、第一接触部３１及び第二接触部３２との摩擦により、該表層にある絶縁塗料を削り落とし、直接伝導部品３と電気接触を形成するため、信号の伝達に有利である。
【００２１】
図２、図３及び図６に示すように、伝導部品３を定位するため、絶縁ケース４は外壁４２に複数の定位槽４４を形成し、それぞれの伝導部品３が一つずつ挿入できる。相隣する定位槽４４の間に一つの間隔壁４５を具有し、間隔壁４５の片側局部は、定位槽４４に向けて一つのウォール４５０を延伸し、伝導部品３が外側に脱落するのを防止する。該伝導部品３の台形本体３０は定位槽４４の底部より挿入し、台形の広い一端がしっかりと定位槽４４で定位する。
【００２２】
最良実施例の伝導部品３の伝導部３４は更に絶縁ケース４の底部４６に沿うように折り、抵触部３４０を形成する。該抵触部３４０により、伝導部品３を上に引抜くのを防止する。図７に示すように、該抵触部３４０は外部のボード５にある回路接続ポイント５０と抵触し、信号の伝送通信がしやすくなる。
【産業上の利用可能性】
【００２３】
本考案の信号絶縁変圧器により、製造過程を簡単にするとともにスピードを上げることができる。特に伝導部品３の定位方法は、絶縁ケース４の内部スペース４１を占領することなく、磁性部品２を内部スペースに入れるとのニーズを満たし、実用性が向上する。
【符号の説明】
【００２４】
２  磁性部品
２０  ケーブル
３  伝導部品
３０  本体
３１  第一接触部
３２  第二接触部
３２０  折れ曲がる箇所
３３  隙間
３４  伝導部
３４０  抵触部
４  絶縁ケース
４０  開口
４１  内部スペース
４２、４３  側壁
４４  定位槽
４５  間隔壁
４５０  ウォール
４６  底部
５  ボード
５０  回路接続ポイント
【図１】
0003169298.tif 000003
【図２】
0003169298.tif 000004
【図３】
0003169298.tif 000005
【図４】
0003169298.tif 000006
【図５】
0003169298.tif 000007
【図６】
0003169298.tif 000008
【図７】
0003169298.tif 000009
【手続補正書】
【提出日】平成23年5月20日(2011.5.20)
【手続補正１】
【補正対象書類名】実用新案登録請求の範囲
【補正対象項目名】請求項１
【補正方法】変更
【補正の内容】
【請求項１】
磁性部品、伝導部品及び絶縁ケースを含み、
該絶縁ケースは一つの開口を具有し、少なくとも一つの該開口と互いに通じる内部スペースに磁性部品を入れ、
該磁性部品はケーブルを具有し、
該伝導部品の本体は絶縁ケースの側壁に定位し、
該本体はプレートであり、絶縁ケースの開口に相隣する端は二股に分かれて第一接触部及び第二接触部を形成し、
該第二接触部は更に第一接触部と離れた場所で折れ曲がり、第一接触部との間に、磁性部品のケーブルを挿入できる隙間を構成し、
前記ケーブルが前記隙間で挟まれ固定され、
本体の別端は一つの伝導部を具有し、外部の回路設備と接続することを特徴とする信号絶縁変圧器の構造。